(57)【要約】【課題】移動中においても、簡単かつ瞬時にセットが可能であり、しかも携行に支障がないハンズフリー用の支持具を備えた移動体通信端末装置を提供することにある。【解決手段】Ｕ字型のアーム又は板状の部材であって、末端脚部に回動部を有し、該脚部回動部を本体両側面又は裏面に配設された脚部取付部に接合し、本体使用時には本体両側面又は裏面から背面方向に対し、略直角に起立させることにより肩部に載置し本体を耳部及び頬部に接着保持させることが可能であり、使用終了時には、本体両側面又は裏面に収納可能とした支持具を具備した移動体通信端末装置とした。【選択図】  図６
2004254263.tif 000002
【特許請求の範囲】
【請求項１】
移動体通信端末装置本体の受話部を使用者の耳部に、送話部を使用者の口唇部近傍に接着させた状態を保持させるため、底辺から延伸した末端に回動部を有するＵ字型のアーム又は板状を具備したことを特徴とする移動体通信端末装置用肩載せ支持具。
【請求項２】
請求項１に記載の移動体通信端末装置本体には、両側面あるいは裏面に前記肩載せ支持具を連結することができる連結手段を具備し、該支持具を接合させ、本体使用時においては支持具を背面方向に略直角に固定させ、使用終了時においては両側面または裏面に収納させられることを特徴とする移動体通信端末装置用肩載せ支持具。
【請求項３】
請求項１および２に記載のＵ字型アーム又は板状の肩載せ支持具は、そのＵ字型底辺が縦軸のいずれか一辺に対し９０°以内の角度を付した形状により構成されたことを特徴とする移動体通信端末装置用肩載せ支持具。
【発明の詳細な説明】
【０００１】
【発明の属する技術分野】
本発明は、携帯電話機、ＰＨＳ、携帯無線機、コードレス電話機などの移動体通信端末装置に関する。
【０００２】
【従来の技術】
従来開示されている、両手を離した状態での通話が可能なハンズフリーを実行するための技術には、イヤホーン式やヘッドセット式などがある。この内広範に実用化されているのはイヤホーン式で、大部分の携帯電話機、ＰＨＳにその技術が搭載されている。イヤホーン式自体必ずしもハンズフリーをその目的としているものではないにしても、移動体通信端末装置の利点である移動中での使用時において、その利用実態は極めて限られたものとなっている。
その事由はイヤホーンセットを持ち歩くのが面倒であり、セットにも時間を要するなど、緊急の用をなさないことが考えられ、かつ、イヤホーンセットを別途購入しなければならないための経済的負担にもその一因がある。また、ヘッドセット式においても同様の要因が考えられる。
【０００３】
上記の他に、フックを耳殻に掛けて保持し使用する耳掛け式が発明・考案されているが、使用時耳殻との密着性が低下する、また送話口が離れるため屋外等騒音の激しい場所での使用に適さない。更に、耳からぶら下がっているという違和感、また落下の不安、眼鏡使用時の問題等が考えられ実用化に至っていないものと考えられる。
【０００４】
【発明が解決しようとする課題】
このため、携帯電話、ＰＨＳ等における多くの利用形態である屋外での使用時には、現在、簡単かつ有効に実行できるハンズフリーの手段は無いというのが実状である。
本発明は、上記の問題点に鑑みなされたもので、その目的とするところは、移動体通信端末装置を瞬時にハンズフリー状態での使用を可能とし、移動時の携帯性に優れた移動体通信端末装置を提供することにある。
【０００５】
【課題を解決するための手段】
現在でも固定電話機においては、送受話器を頭部と肩部との間に直接挟むことにより、瞬時にハンズフリー状態を惹起せしめている。それは送受話器が適度な大きさを有していたために実現が可能であった。
従って、現在の小型、軽量化された移動体通信端末装置においても、適度な高さを与えれば上記と同様なハンズフリー状態を惹起せしめることが可能になるものと考えられる。
本発明は、上述の課題を解決するために、移動体通信端末装置本体両側面あるいは本体裏面から本体背面方向に対し、略直角に延伸した肩載せ用Ｕ字型アーム又は板状の支持具を具備することとした。
【０００６】
上記の支持具は、その底辺から延伸した末端部分に回動を可能とした本体取付用脚部を有し、また移動体通信端末装置本体においては、その両側面あるいは裏面に該支持具の脚部取付部を設け、支持具の脚部を接合することにより構成した。
【０００７】
また、該支持具の底辺から延伸する長手方向の縦軸に対し、支持具の底辺にαの角度を与えた場合、支持具により保持された本体は頭部方向に９０−αの傾斜角を得ることが可能となり、本体は耳殻への密着性が増し、頭部の傾きも違和感のないものとなる。
【０００８】
【発明の実施の形態】
以下、本発明に係わる実施例を図面を参照しながら説明する。
【０００９】
図１に示した第一の実施形態における図（ａ）は、本発明のＵ字型アーム１０１ａを本体両側面に収納したことを示すもので、Ｕ字型アームは不使用時、Ｕ字型底辺のアームが電池蓋を横断するのみに留め、側面に収納することにより本体の薄さを損なうことなく、使用者が携行時、胸ポケットに収納しても支障することがないものとした。図（ｂ）は、軸受け用突起１０２を本体側面の略四分の一に設置しＵ字型アームを接合させ、背面方向に略直角に起立させることにより、本体を支持させることを示した。
【００１０】
図２に示した本発明のＵ字型アームは、上述の通り末端に回動部を設け該回動部を軸受け突起に接合することにより回動自在とする。また、収納時その底辺が本体電池蓋上を跨ぐため底辺が湾曲し、接地面が増大、肩部に載置した際安定度の向上を図ることが可能となる。また、Ｕ字型アームは角柱状、丸棒状に限定するものではなく、外側に脹らみを持つ蒲鉾形状とすることにより、握持時また携行時においても、本体との一体感を醸成し使い心地の良いものとすることができる。
【００１１】
Ｕ字型アームは、図３に示すごとく、携帯電話本体が使用者の耳部及び頬部に接着する際の頭部の傾斜を緩和するため、Ｕ字型アームに傾斜角を付与することとした。
例えば、Ｕ字型アームの底辺が長手方向のアームに対し８０°の傾斜角を与えた場合、肩部を水平に保ったとすると端末本体は１０°の傾きを得られ、その分頭部の傾きを緩和することが可能となる。
【００１２】
図４に示したＵ字型アームの回動部を受ける軸受け用突起１０２は茸状とし、Ｕ字型アーム回動部１０４を接合した際の脱落を防止する手段とする。また、ストッパー１０３は上辺に向かって流線型としポケットなどからの出し入れに際し障害のない形とした。なお、Ｕ字型アームの連結手段は上記のものに限定されるものではなく、先行技術を選考することも可能とする。
【００１３】
図５に示した第２の実施形態は、本体が折り畳み式の携帯電話に関するもので、本体第２筐体の裏面上辺部に脚部取付部を設け、Ｕ字型板状の脚部を接合する。
該Ｕ字型板状の脚部は、脚部先端近傍において、略９０°の角度を与え板状支持具を起立させた際、屈曲した脚部分が本体第一筐体の裏面部分に接着させ係止させる。
第２筐体裏面の電池蓋は、Ｕ字型板状の形状に切除し、該Ｕ字型板状を収納させる。この際、切除した内縁にはＵ字型板状の形状に見合う縁部を設ける。又Ｕ字型板状の底辺には肩当て滑り止め１０７を接合させるものとする。
又Ｕ字型板状は、単純な板状に限らずキャラクターの形を表示し特徴付けをすることも可能である。
【００１４】
図６は、本発明の使用説明図である。
使用者は受話部を耳部に送話部を口唇近傍に接着させた状態で通話を継続しながら、Ｕ字型アームまたは板状を、本体に対し略直角に起立させ、肩部に載置して使用することができる。この場合、支持具を載置した側の肩部を略水平に引き上げるとともに、頭部を本体使用側に傾斜させることにより、本体が狭持され両手を離した状態で通話を継続することが可能となる。
又本体を狭持することにより発生する圧力によって肩部からの脱落を防ぐとともに、耳殻に圧着して受話状態を良好に保つことが可能となる。
【００１５】
【発明の効果】
以上説明したように、携帯電話、ＰＨＳ等の移動体通信端末装置において本発明の支持具を備えたことにより、屋外行動中において通話をする場合、メモを取ったり、資料を繰りながらの通話などで急遽両手を使用せざるを得ない状態になった際、本発明の支持具を瞬時にセットでき容易にハンズフリーを実行できる。更に、ハンズフリーの状態においても、本体を耳部及び頬部に圧着させる効果により、騒音の激しい屋外においても支障なく送受話を行うことが可能となった。
【図面の簡単な説明】
【図１】本発明の第一の実施例を示す一体型携帯電話機であり、同図（ａ）は、本発明によるＵ字型アームを本体の両側面に収納した斜視図、同図（ｂ）は該Ｕ字型アームを起立させた使用時の状態を示す斜視図である。
【図２】末端に回動部を設けたＵ字型アームの斜視図である。
【図３】請求項３に係わる移動体通信端末装置に傾斜角を付与するための説明図である。
【図４】図２のＵ字型アームの回動部を連結することができる軸受け用突起及びでアームが本体側面から略９０°起立した際のストッパーを表した側面図及び背面図である。
【図５】第２の実施例を示す折り畳み式携帯電話であり、同図（ａ）は本発明のＵ字型板状を本体第２筐体の裏面に設置したことを示す斜視図、同図（ｂ）は該Ｕ字型板状を背面電池蓋上に収納したことを示す斜視図である。
【図６】本発明の移動体通信端末装置用支持具を装備し使用している様子を示す説明図である。
【符号の説明】
１ａ    一体型携帯電話機
１ｂ    折り畳み式携帯電話機
２    第一筐体
３    第２筐体
１０１ａ    Ｕ字型アーム支持具
１０１ｂ    Ｕ字型板状支持具
１０２    軸受け用突起
１０３    ストッパー
１０４    電池パック
１０５    電池蓋内縁
１０６    電池蓋
１０７    肩当て滑り止め
【図１】
2004254263.tif 000003
【図２】
2004254263.tif 000004
【図３】
2004254263.tif 000005
【図４】
2004254263.tif 000006
【図５】
2004254263.tif 000007
【図６】
2004254263.tif 000008